(57)【要約】【課題】入力の手間を低減しつつ、よりユーザの望む地図を迅速に表示させる。【解決手段】ユーザに郵便番号を入力させ、入力された郵便番号に対応する住所情報およびユーザが入力した住所情報を表示装置に表示させ、ユーザに対し、表示した住所情報よりも詳細な住所情報である詳細住所情報の入力を促させて、入力装置を介して入力を行わせ、郵便番号に対応する住所情報および詳細住所情報に対応する地図を表示装置に表示させる。【選択図】図２
2008082858.tif 000002
【特許請求の範囲】
【請求項１】
目的地までの経路誘導を行うナビゲーション装置において、
ユーザに住所関連情報を入力させる住所関連情報入力部と、
入力された前記住所関連情報に対応する住所情報を表示する住所情報表示部と、
前記ユーザに対し、表示した前記住所情報よりも詳細な住所情報である詳細住所情報の入力を促して、入力を行わせる詳細住所入力部と、
前記住所関連情報に対応する住所情報および前記詳細住所情報に対応する地図を表示させる地図表示制御部と、
を備えたことを特徴とするナビゲーション装置。
【請求項２】
請求項１記載のナビゲーション装置において、
前記住所情報は、階層構造を有しており、
前記詳細住所入力部は、入力された前記住所関連情報に対応する住所情報に含まれる階層よりも下位の階層に属する住所情報を前記詳細住所情報として前記ユーザに対し入力を促すことを特徴とするナビゲーション装置。
【請求項３】
請求項２記載のナビゲーション装置において、
前記階層は、少なくとも、都道府県階層、市区町村階層、丁・丁目階層、番地階層、住居番号階層を含むことを特徴とするナビゲーション装置。
【請求項４】
請求項１ないし請求項３のいずれかに記載のナビゲーション装置において、
前記地図を表示する表示部を備えたことを特徴とするナビゲーション装置。
【請求項５】
請求項１ないし請求項４のいずれかに記載のナビゲーション装置において、
前記住所関連情報は、郵便番号あるいは電話番号であることを特徴とするナビゲーション装置。
【請求項６】
各種情報を入力する入力装置および表示装置を備え、目的地までの経路誘導を行うナビゲーション装置の制御方法において、
ユーザに住所関連情報を入力させる住所関連情報入力過程と、
入力された前記住所関連情報に対応する住所情報を前記表示装置に表示する住所情報表示過程と、
前記ユーザに対し、表示した前記住所情報よりも詳細な住所情報である詳細住所情報の入力を促して、前記入力装置を介して入力を行わせる詳細住所入力過程と、
前記住所関連情報に対応する住所情報および前記詳細住所情報に対応する地図を前記表示装置に表示させる地図表示制御過程と、
を備えたことを特徴とする制御方法。
【請求項７】
各種情報を入力する入力装置および表示装置を備え、目的地までの経路誘導を行うナビゲーション装置をコンピュータにより制御するための制御プログラムおいて、
ユーザに住所関連情報を入力させ、
入力された前記住所関連情報に対応する住所情報を前記表示装置に表示させ、
前記ユーザに対し、表示した前記住所情報よりも詳細な住所情報である詳細住所情報の入力を促させて、前記入力装置を介して入力を行わせ、
前記住所関連情報に対応する住所情報および前記詳細住所情報に対応する地図を前記表示装置に表示させる、
ことを特徴とする制御プログラム。
【発明の詳細な説明】
【技術分野】
【０００１】
本発明は、ナビゲーション装置、制御方法および制御プログラムに係り、特に地図表示を行うとともに、目的地までの経路誘導を行うナビゲーション装置として適用されるナビゲーション装置、制御方法および制御プログラムに関する。
【背景技術】
【０００２】
従来、現在地から目的地までの経路誘導を行うナビゲーション装置が知られている。また、この種のナビゲーション装置としては、ユーザが入力した出発地（或いは現在地）及び目的地に基づいて、当該出発地から目的地までの誘導経路を探索して提示する経路探索機能を備えたものがある（例えば、特許文献１参照）。
このようなナビゲーション装置において、目的の地図を表示させる場合には、例えば、ナビゲーション装置は、まず都道府県選択リスト画面を表示し、この都道府県選択画面で、ユーザにより都道府県が選択されると、市町村区選択画面を表示させる。以下同様にして、ユーザによる市町村区選択→丁・丁目選択リスト画面の表示→ユーザによる丁・丁目選択→番地選択リスト画面の表示→ユーザによる番地選択→住居番号選択リスト画面の表示→ユーザによる住居番号の選択というふうに順次階層毎に所望の住所を選択させることにより最終的にユーザの所望の地図を表示するようにされていた。
【特許文献１】特開平８−２０１０８７号公報
【発明の開示】
【発明が解決しようとする課題】
【０００３】
しかしながら、住所を直接入力する方法においては、入力すべき情報量が多く、手間がかかるという問題点があった。
これを解決すべく、従来のナビゲーション装置にあっては、郵便番号を入力することによって、対応する地図を表示するように構成していた。
しかしながら、郵便番号は、所定の郵便配達地域を便宜的に区分したものであり、場合によっては、市区町村などの大きな行政区域程度までしか特定できず、郵便番号の入力によって表示される地図は、必ずしもユーザの望む地図が表示されるわけではないという問題点があった。
そこで、本発明の目的は、入力の手間を低減しつつ、よりユーザの望む地図を迅速に表示させることが可能なナビゲーション装置、制御方法および制御プログラムを提供することにある。
【課題を解決するための手段】
【０００４】
上記課題を解決するため、目的地までの経路誘導を行うナビゲーション装置において、ユーザに住所関連情報を入力させる住所関連情報入力部と、入力された前記住所関連情報に対応する住所情報を表示する住所情報表示部と、前記ユーザに対し、表示した前記住所情報よりも詳細な住所情報である詳細住所情報の入力を促して、入力を行わせる詳細住所入力部と、前記住所関連情報に対応する住所情報および前記詳細住所情報に対応する地図を表示させる地図表示制御部と、を備えたことを特徴としている。
上記構成によれば、住所関連情報入力部と、ユーザに住所関連情報を入力させる。
住所情報表示部は、入力された前記住所関連情報に対応する住所情報および前記ユーザが入力した住所情報を表示する。
詳細住所入力部は、地図表示制御部は、ユーザに対し、表示した住所情報よりも詳細な住所情報である詳細住所情報の入力を促して、入力を行わせる。
これらの結果、地図表示制御部は、住所関連情報に対応する住所情報および詳細住所情報に対応する地図を表示させる。
したがって、目的地までの経路誘導を行うナビゲーション装置において、入力の手間を低減しつつ、よりユーザの望む地図を迅速に表示させることができる。
この場合において、前記住所情報は、階層構造を有しており、前記詳細住所入力部は、入力された前記住所関連情報に対応する住所情報に含まれる階層よりも下位の階層に属する住所情報を前記詳細住所情報として前記ユーザに対し入力を促すようにしてもよい。
また、前記階層は、少なくとも、都道府県階層、市区町村階層、丁・丁目階層、番地階層、住居番号階層を含むようにしてもよい。
さらに、前記地図を表示する表示部を備えるようにしてもよい。
さらにまた、前記住所関連情報は、郵便番号あるいは電話番号であるようにしてもよい。
また、各種情報を入力する入力装置および表示装置を備え、目的地までの経路誘導を行うナビゲーション装置の制御方法において、ユーザに住所関連情報を入力させる住所関連情報入力過程と、入力された前記住所関連情報に対応する住所情報を前記表示装置に表示する住所情報表示過程と、前記ユーザに対し、表示した前記住所情報よりも詳細な住所情報である詳細住所情報の入力を促して、前記入力装置を介して入力を行わせる詳細住所入力過程と、前記住所関連情報に対応する住所情報および前記詳細住所情報に対応する地図を前記表示装置に表示させる地図表示制御過程と、を備えたことを特徴としている。
また、各種情報を入力する入力装置および表示装置を備え、目的地までの経路誘導を行うナビゲーション装置をコンピュータにより制御するための制御プログラムおいて、ユーザに住所関連情報を入力させ、入力された前記住所関連情報に対応する住所情報を前記表示装置に表示させ、前記ユーザに対し、表示した前記住所情報よりも詳細な住所情報である詳細住所情報の入力を促させて、前記入力装置を介して入力を行わせ、前記住所関連情報に対応する住所情報および前記詳細住所情報に対応する地図を前記表示装置に表示させる、ことを特徴としている。
【発明の効果】
【０００５】
本発明によれば、住所入力時の手間を削減して、所望の地図を容易に表示させることができ、操作性を向上させることが可能となる。
【発明を実施するための最良の形態】
【０００６】
以下図面を参照して本発明の実施の形態について説明する。以下の説明では、ナビゲーション装置として、車載型のナビゲーション装置（いわゆる、カーナビゲーション装置）について例示する。
【０００７】
図１は、本実施の形態に係るナビゲーション装置１００の機能的構成を示すブロック図である。この図に示すように、ナビゲーション装置１００は、絶対位置・方位検出部１と、相対方位検出部２と、車速検出部３と、主制御部４と、ＲＯＭ５と、ＤＲＡＭ６と、ＳＲＡＭ７と、ＶＲＡＭ８と、ユーザインタフェース部９と、表示部１０と、入力部１１と、ディスク制御部１２と、ＦＭ多重信号処理部１３と、外部記録装置制御部１４とを備えている。
【０００８】
絶対位置・方位検出部１は、ＧＰＳ（Global Positioning System）衛星から送信されているＧＰＳ電波を受信するアンテナを備え、ナビゲーション装置１００が搭載された自動車の現在地、すなわち自車位置の地表における絶対的な位置座標及び方位をＧＰＳ電波に基づいて計算し主制御部４に出力するものである。
相対方位検出部２は、ジャイロセンサを有し、自車位置の相対的な方位を検出して主制御部４に出力するものである。また、車速検出部３は、自動車より得られる車速パルスを処理して、自車両の速度を主制御部４に出力するものである。
【０００９】
主制御部４は、ナビゲーション装置１００の各部の制御や、ナビゲーション機能のための処理とった各種の処理を実行するものであり、演算手段としてのＣＰＵや、その他の周辺回路を備えている。
ＲＯＭ５は、制御プログラムやＢＩＯＳ（Basic Input Output System）、装置起動のためのブートプログラム、ナビゲーション機能を実現するためのプログラムといった各種プログラムを予め格納するものであり、主制御部４によりアクセス可能になされている。
また、ＤＲＡＭ６は揮発性メモリであり主制御部４のワークエリアとして用いられる。
ＳＲＡＭ７は不揮発性メモリであり、自動車のアクセサリ電源等のメイン電源（図示せず）から電力が供給されると共に、当該メイン電源がオフの間は、電池などの予備電源（図示せず）から電力が供給されて記憶内容を常時保持可能に構成され、バックアップメモリとして機能する。また、ＶＲＡＭ８は、表示部１０に表示される画面データが書き込まれるバッファメモリである。
【００１０】
ユーザインタフェース部９は、Ｉ／Ｏ（Input/Output）制御回路やドライバ回路を備え、表示部１０及び入力部１１と、主制御部４とを結ぶインターフェースとして機能する。具体的には、ユーザインタフェース部９は、主制御部４の制御の下、表示部１０の表示制御を実行すると共に、入力部１１の操作を主制御部４に出力する。
【００１１】
表示部１０は、ユーザインタフェース部９の制御の下、ナビゲーションのための地図や自車位置、操作メニュー、各種指示データの入力画面等の各種の情報を表示するものであり、例えばＬＣＤ（Liquid Crystal Display）やＥＬ（Electro Luminescent）ディスプレイ等のディスプレイ装置を備えている。
入力部１１は、ユーザの指示操作を受け付け、ユーザインタフェース部９に出力するものであり、当該ナビゲーション装置１００のフロント部分等に配設される複数の操作子や、上記表示部１０が備えるディスプレイ装置に設けられたタッチパネル（不図示）を備えている。なお、当該ナビゲーション装置１００をリモートコントローラ等により遠隔操作可能に入力部１１を構成しても良い。
【００１２】
ディスク制御部１２は、ナビゲーションに使用される地図データや、各種のデータを格納するＣＤ−ＲＯＭドライブやＤＶＤ-ＲＯＭドライブ、ハードディスクドライブといった記憶装置を制御するものである。
ＦＭ多重信号処理部１３は、ＦＭ多重放送波を受信して、渋滞や事故、交通規制といった情報を示すＶＩＣＳ（道路交通情報通信システム）情報を取り出し、主制御部４に出力するものである。外部記録装置制御部１４は、例えばメモリカードやメモリースティック（登録商標）、コンパクトフラッシュ（登録商標）カード等の外部記録媒体に対してデータの記録及び読み出しを行うものである。
【００１３】
以上の構成の下、ユーザにより上記入力部１１から目的地が入力されると、主制御部４は、上記絶対位置・方位検出部１により検出された自車位置から目的地までの誘導経路を探索して、当該誘導経路を示すに最適な地図と自車位置とを上記表示部１０に表示する。また、自動車の走行中においては、主制御部４は、相対方位検出部２及び車速検出部３の検出結果に基づいて自律航法により算出した自車位置を、上記絶対位置・方位検出部１により検出された自車位置により補正するハイブリッド航法により、高精度に求めた自車位置を地図上に表示して、経路案内を行う。
【００１４】
ところで、本実施形態では、上記入力部１１から目的地が入力されたときに、主制御部４は、現在地（自車位置）から目的地までの誘導経路を検索する機能を有している。
この目的地入力あるいは地図表示要求に際し、地図画面上での直接指定あるいは住所入力指定等が考えられるが、本実施形態では、地図を指定する際あるいは住所入力指定において、住所入力についてユーザの意図に沿った入力支援を行っている。
本実施形態においては、過去の入力履歴、すなわち、入力日時、当該入力時の自車位置、目的地の場所、選択回数などからユーザの意図に沿っていると考えられる最適な入力住所の候補を画面上に提示するようにしている。
本実施形態では、住所データを階層構造としている。
ここで、本ナビゲーション装置１００における住所データの階層構造および郵便番号に対応する住所データの階層構造尾について説明する。
本ナビゲーション装置１００における住所データは、以下の５階層の構造となっている。
第１階層：都道府県階層（例えば、埼玉県）
第２階層：市区町村階層（例えば、戸田市）
第３階層：丁・丁目階層（例えば、上戸田）
第４階層：番地階層    （例えば、１丁目２番）
第５階層：住居番号階層（例えば、３号）
【００１５】
図２は、本実施形態における郵便番号データベース（ＤＢ）の説明図である。
本実施形態においては、ディスク制御部１２により制御されている図示しないハードディスクに、郵便番号と住所データとの対応関係を郵便番号データベースとして格納している。
郵便番号データベース２０は、各郵便番号データレコードＲ１、Ｒ２、…は、それぞれ郵便番号データ２１、都道府県階層データ２２、市区町村階層データ２３、丁・丁目階層データ２４、番地階層データ２５および住居番号階層データ２６を備えている。
ところで、郵便番号に対応する住所データは、実際には、以下の３階層までの構造となっている。
第１階層：都道府県階層（例えば、埼玉県）
第２階層：市区町村階層（例えば、戸田市）
第３階層：丁・丁目階層（例えば、上戸田）
しかしながら、例えば、郵便番号＝「３３５−００００」の場合のように、第２階層までの住所データにしか対応していない郵便番号も存在する。
そこで、本実施形態では、郵便番号で対応できる住所データについては、自動的に入力し、より詳細な住所データについてユーザに入力させることにより、ユーザの手間を低減しつつ、所望の地図を表示させることとしている。
【００１６】
図３は、実施形態の処理フローチャートである。
まずユーザは、入力画面上で地図を表示しようとする場所に対応する郵便番号を入力する（ステップＳ１）。
【００１７】
図４は、郵便番号入力時の表示画面の一例の説明図である。
入力画面３０は、読みがな入力部３１と、入力時点における候補データ数を表示する候補データ数表示部３２と、５０音が表示されたひらがな入力部３３と、前回の表示画面に戻るための戻るボタン３４と、読みがな入力部３１の入力内容をクリアするためのクリアボタン３５と、読みがな入力部の内容に決定するための決定ボタン３６と、郵便番号入力ウィンドウ３７を開くための郵便番号入力指示ボタン３８と、を備えている。
そして郵便番号入力指示ボタン３８が操作されると、図４に示すように、郵便番号入力ウィンドウ３７が開くこととなる。
【００１８】
郵便番号入力ウィンドウ３７は、実際に７桁の郵便番号を入力する郵便番号入力ボックス３９と、郵便番号入力ボックス３９の入力内容をクリアするためのクリアボタン４０と、郵便番号入力ボックス３９の入力内容に決定するための決定ボタン４１と、を備えている。
そして、ユーザが郵便番号入力ボックス３９に郵便番号を入力し、決定ボタン４１を操作すると、主制御部４は、ディスク制御部１２に接続されたハードディスクなどの外部記憶装置に予め格納された郵便番号データベース２０を参照する（ステップＳ２）。
【００１９】
郵便番号データベース２０の参照の結果、主制御部４は、郵便番号に対応するデータ階層を判別する（ステップＳ３）。
具体的には、図４に示したように、入力された郵便番号＝「３３５−００２２」である場合には、図２に示すように、住所データは、第３階層である丁・丁目階層データまで含んでいるので、第３階層である丁・丁目階層データに対応する読みがなを読みがな入力部３１に表示することとなる（ステップＳ４）。
図５は、住所表示例の説明図である。
より具体的には、図５に示すように、「埼玉県戸田市上戸田」に対応する読みがな「とだしうえとだ」が表示されることとなる。
【００２０】
そして、主制御部４は、郵便番号で示される階層未満の階層の住所の入力をユーザに対して促し、入力を行わせることとなる（ステップＳ５）
図６は、住所候補の一覧画面である。
具体的には、主制御部４は、表示画面を、図６に示す住所候補の一覧画面に遷移させ、表示されたリストから住所候補を選択させる。
図６において、一覧画面５０には、選択した住所候補を表示する選択住所候補表示部５１と、住所候補を選択ボタンとして、複数表示するリスト表示部５２と、上下スクロールボタン５３、５４を表示するスクロール操作部５５と、前回の表示画面に戻るための戻るボタン５６と、が表示されている。
より具体的には、上述の例の場合、「埼玉県戸田市上戸田」には、１丁目〜５丁目が存在するので、選択住所候補表示部５１には、「１丁目」〜「５丁目」が表示される。なお、図６においては、選択住所候補表示部５１が同時の４個の住所候補を表示することしかできないので、「１丁目」〜「４丁目」が表示されている。
【００２１】
次に主制御部４は、入力候補として表示した住所が選択され、確定されたか否かを判別する（ステップＳ６）。
ステップＳ６の判別において、未だ入力候補が未選択あるいは未確定である場合には（ステップＳ６；Ｎｏ）、処理を再びステップＳ５に移行し、待機状態となる。
ステップＳ６の判別において、入力候補として表示した住所が選択され、確定された場合には（ステップＳ６；Ｙｅｓ）、ディスク制御部１２に接続されたハードディスクなどの外部記憶装置に予め格納された図示しない地図データベースを検索し（ステップＳ７）、対応する地図を表示することとなる（ステップＳ８）。
以上の説明のように、本実施形態によれば、住所関連情報として郵便番号を入力し、地図表示時の住所入力を簡略化しつつ、ユーザが望む地図を容易、かつ、迅速に表示させることが可能となる。
【００２２】
なお、上述した実施の形態は、あくまでも本発明の一態様を示すものであり、本発明の範囲内で任意に変形が可能である。
以上の説明では、住所関連情報として郵便番号を入力し、これに基づいて、住所入力を簡略化する手法について述べたが、同様に電話番号に基づいて住所入力を簡略化することも可能である。
また、以上の説明では、ナビゲーション装置として車載型の装置を例示したが、これに限らず、携帯電話やＰＤＡ等の携帯型情報機器に組み込まれるナビゲーション装置や、地図表示装置などのナビゲーション装置にも本発明を適用可能である。
【図面の簡単な説明】
【００２３】
【図１】実施形態のナビゲーション装置の機能的構成を示すブロック図である。
【図２】本実施形態における郵便番号データベース（ＤＢ）の説明図である。
【図３】実施形態の処理フローチャートである。
【図４】郵便番号入力時の表示画面の一例の説明図である。
【図５】住所表示例の説明図である。
【図６】住所候補の一覧画面である。
【符号の説明】
【００２４】
１…絶対位置・方位検出部、２…相対方位検出部、３…車速検出部、４…主制御部、５…ＲＯＭ、６…ＤＲＡＭ、７…ＳＲＡＭ、８…ＶＲＡＭ、９…ユーザインタフェース部、Ｒ１…郵便番号データレコード、１０…表示部、１１…入力部、１２…ディスク制御部、１３…ＦＭ多重信号処理部、１４…外部記録装置制御部、２０…郵便番号データベース、２１…郵便番号データ、２２…都道府県階層データ、２３…市区町村階層データ、２４…丁・丁目階層データ、２５…番地階層データ、２６…住居番号階層データ、３０…入力画面、３１…入力部、３２…候補データ数表示部、３３…入力部、３４…ボタン、３５…クリアボタン、３６…決定ボタン、３７…郵便番号入力ウィンドウ、３８…郵便番号入力指示ボタン、３９…郵便番号入力ボックス、４０…クリアボタン、４１…決定ボタン、５０…一覧画面、５１…選択住所候補表示部、５２…リスト表示部、５３…上下スクロールボタン、５５…スクロール操作部、５６…ボタン、１００…ナビゲーション装置。
【図１】
2008082858.tif 000003
【図２】
2008082858.tif 000004
【図３】
2008082858.tif 000005
【図４】
2008082858.tif 000006
【図５】
2008082858.tif 000007
【図６】
2008082858.tif 000008